【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
近接して並設された複数の円形断面のシールドトンネルの側部同士を開削して連通結合させる並設シールドトンネルの連通部形成方法であって、
該両シールドトンネル間の連通結合予定部位両側部の地山中に、該シールドトンネルの一方から他方に向けて、曲線ボーリング装置を用いて円弧状の鋼製曲管を掛け渡し、トンネル長手方向に沿って所定のピッチで所定数ずつ設置する鋼製曲管設置工程と、
該両シールドトンネル内に該トンネルの変形を防止する内部支保工を設置する内部支保工設置工程と、
該両シールドトンネルの連通結合部のセグメントを切り開いて、両シールドトンネル間の地山を掘削して連通させるシールドトンネル連通工程と、
該両シールドトンネルの切り開かれたセグメントリングの端縁同士に掛け渡して連結セグメントを設置する連結セグメント設置工程と、
該連結セグメントと該鋼製曲管との間の空隙にコンクリートを充填するコンクリート充填工程と、
該コンクリートの硬化後に該内部支保工を撤去する支保工撤去工程と、
を備えたことを特徴とする並設シールドトンネルの連通部形成方法。
【請求項２】
前記鋼製曲管設置工程と内部支保工設置工程との間に、シールドトンネルのセグメントに形成された薬液柱入口から地山中に薬液を注入して地盤改良を行う地盤改良工程を備えたことを特徴とする請求項１に記載の並設シールドトンネルの連通部形成方法。
【請求項３】
前記鋼製曲管設置工程と内部支保工設置工程との間に、前記鋼製曲管を通じて周囲の地山中に薬液を注入して地盤改良を行う地盤改良工程を備えたことを特徴とする請求項１に記載の並設シールドトンネルの連通部形成方法。
【請求項４】
前記鋼製曲管設置工程において、剛性保持用の鋼製曲管と薬液注入用の鋼製曲管とが別途に設けられ、該薬液注入用鋼製曲管は該剛性保持用鋼製曲管間の外側に相互のピッチをずらされて配置されされることを特徴とする請求項３に記載の並設シールドトンネルの連通部形成方法。
【請求項５】
前記剛性保持用の鋼製曲管が内管と外管とからなる２重管構造とされていることを特徴とする請求項１〜４のいずれかに記載の並設シールドトンネルの連通部形成方法。
【請求項６】
前記剛性保持用の鋼製曲管内にＨ形鋼が挿通配置されることを特徴とする請求項１〜４のいずれかに記載の並設シールドトンネルの連通部形成方法。
【請求項７】
前記剛性保持用の鋼製曲管内にコンクリートが充填されることを特徴とする請求項１〜６のいずれかに記載の並設シールドトンネルの連通部形成方法。
【請求項８】
前記剛性保持用の鋼製曲管内には、該鋼製曲管にプレストレスを導入するために、張力を付与した鋼線が配設されることを特徴とする請求項１〜７のいずれかに記載の並設シールドトンネルの連通部形成方法。
【請求項９】
近接して並設された複数の円形断面のシールドトンネルの側部同士が開削されて連通結合された並設シールドトンネルの連通部構造であって、
該両シールドトンネル間に円弧状に掛け渡されて、連通結合部の上下両側の地山中にトンネル長手方向に沿って所定ピッチで複数設置された鋼製曲管と、
該両シールドトンネルの切り開かれたセグメントリングの端縁同士に掛け渡されて設けられた連結セグメントと、
該連結セグメントと該鋼製曲管との間の空隙に充填されたコンクリートと、
を備えたことを特徴とする並設シールドトンネルの連通部構造。
【請求項１０】
前記鋼製曲管を通じて周囲の地山中に注入された薬液によって形成される改良地盤を有することを特徴とする請求項９に記載の並設シールドトンネルの連通部構造。
【請求項１１】
前記鋼製曲管が、剛性保持用の鋼製曲管と薬液注入用の鋼製曲管とからなり、該薬液注入用鋼製曲管は該剛性保持用鋼製曲管間の外側に相互のピッチをずらされて配置されていることを特徴とする請求項９または１０のいずれかに記載の並設シールドトンネルの連通部構造。
【請求項１２】
前記剛性保持用の鋼製曲管が内管と外管とからなる２重管構造とされていることを特徴とする請求項９〜１１のいずれかに記載の並設シールドトンネルの連通部構造。
【請求項１３】
前記剛性保持用の鋼製曲管内にＨ形鋼が挿通配置されることを特徴とする請求項９〜１１のいずれかに記載の並設シールドトンネルの連通部構造。
【請求項１４】
前記剛性保持用の鋼製曲管内にコンクリートが充填されていることを特徴とする請求項９〜１３のいずれかに記載の並設シールドトンネルの連通部構造。
【請求項１５】
前記剛性保持用の鋼製曲管内に、該鋼製曲管にプレストレスを導入するための張力を付与した鋼線が配設されていることを特徴とする請求項９〜１４のいずれかに記載の並設シールドトンネルの連通部構造。
【手続補正２】
【補正対象書類名】明細書
【補正対象項目名】発明の名称
【補正方法】変更
【補正の内容】
【発明の名称】並設シールドトンネルの連通部形成方法及びその連通部構造
【手続補正３】
【補正対象書類名】明細書
【補正対象項目名】０００１
【補正方法】変更
【補正の内容】
【０００１】
この発明は、近接して並設された複数の円形断面のシールドトンネルの側部同士を開削して、相互に一体的に連通結合させる並設シールドトンネルの連通部形成方法及びその連通部構造に関する。
【手続補正４】
【補正対象書類名】明細書
【補正対象項目名】０００８
【補正方法】変更
【補正の内容】
【０００８】
本発明は、上記事情に鑑みてなされたものであり、その目的は、シールドトンネル相互の連通結合部に設けて構造を安定化させ得る補剛部材を、当該シールドトンネル内部からの施工だけで設置することができ、施工コストの低減化と工期の短縮化、専有面積の縮小化とが図れる並設シールドトンネルの連通部形成方法及びその連通部構造を提供することにある。
【手続補正５】
【補正対象書類名】明細書
【補正対象項目名】０００９
【補正方法】変更
【補正の内容】
【０００９】
上記の目的を達成するために本発明に係る並設シールドトンネルの連通部形成方法にあっては、近接して並設された複数の円形断面のシールドトンネルの側部同士を開削して連通結合させる並設シールドトンネルの連通部形成方法を、該両シールドトンネル間の連通結合予定部位両側部の地山中に、該シールドトンネルの一方から他方に向けて、曲線ボーリング装置を用いて円弧状の鋼製曲管を掛け渡し、トンネル長手方向に沿って所定のピッチで所定数ずつ設置する鋼製曲管設置工程と、該両シールドトンネル内に該トンネルの変形を防止する内部支保工を設置する内部支保工設置工程と、該両シールドトンネルの連通結合部のセグメントを切り開いて、両シールドトンネル間の地山を掘削して連通させるシールドトンネル連通工程と、該両シールドトンネルの切り開かれたセグメントリングの端縁同士に掛け渡して連結セグメントを設置する連結セグメント設置工程と、該連結セグメントと該鋼製曲管との間の空隙にコンクリートを充填するコンクリート充填工程と、該コンクリートの硬化後に該内部支保工を撤去する支保工撤去工程と、を備えて構成することを特徴とする（請求項１）。
【手続補正６】
【補正対象書類名】明細書
【補正対象項目名】００１６
【補正方法】変更
【補正の内容】
【００１６】
さらに加えて、前記剛性保持用の鋼製曲管内には、該鋼製曲管にプレストレスを導入するために、張力を付与した鋼線を配設するようにしても良い（請求項８）。
また、本発明に係る並設シールドトンネルの連通部構造にあっては、近接して並設された複数の円形断面のシールドトンネルの側部同士が開削されて連通結合された並設シールドトンネルの連通部構造を、該両シールドトンネル間に円弧状に掛け渡されて、連通結合部の上下両側の地山中にトンネル長手方向に沿って所定ピッチで複数設置された鋼製曲管と、該両シールドトンネルの切り開かれたセグメントリングの端縁同士に掛け渡されて設けられた連結セグメントと、該連結セグメントと該鋼製曲管との間の空隙に充填されたコンクリートと、を備えて構成することを特徴とする（請求項９）。
ここで、前記鋼製曲管を通じて周囲の地山中に注入された薬液によって形成される改良地盤を有する構成となし得る（請求項１０）。
また、前記鋼製曲管は、剛性保持用の鋼製曲管と薬液注入用の鋼製曲管とからなり、該薬液注入用鋼製曲管は該剛性保持用鋼製曲管間の外側に相互のピッチをずらされて配置されている構成となし得る（請求項１１）。
また、前記剛性保持用の鋼製曲管は内管と外管とからなる２重管構造とされている構成となし得る（請求項１２）。
また、前記剛性保持用の鋼製曲管内には、Ｈ形鋼が挿通配置される構成となし得る（請求項１３）。
また、前記剛性保持用の鋼製曲管内には、コンクリートが充填されている構成となし得る（請求項１４）。
また、前記剛性保持用の鋼製曲管内に、該鋼製曲管にプレストレスを導入するための張力を付与した鋼線が配設されている構成となし得る（請求項１５）。
【手続補正７】
【補正対象書類名】明細書
【補正対象項目名】００１７
【補正方法】変更
【補正の内容】
【００１７】
上記のようにしてなる本発明の並設シールドトンネルの連通部形成方法及びその連通部構造によれば、次の様な各種の優れた効果を奏することができる。
【手続補正８】
【補正対象書類名】明細書
【補正対象項目名】００２５
【補正方法】変更
【補正の内容】
【００２５】
以下に、本発明に係る並設シールドトンネルの連通部形成方法及びその連通部構造の好適な一実施の形態について、添付図面に基づいて詳述する。